(57)【要約】【課題】  記憶容量が少なくても適切に稼働情報が収集されることができる画像形成装置、稼働情報収集システムおよび稼働情報処理プログラムを提供する。【解決手段】  ＭＦＰ１３０は、ＭＦＰ１３０自身の稼働情報をＭＦＰ１３０自身ではないコンピューター１２０に保存し、コンピューター１２０に保存された稼働情報を取得し（Ｓ２３３）、取得した稼働情報をＭＦＰ１３０自身およびコンピューター１２０の何れでもない携帯端末８０に送信する（Ｓ２３４）ことを特徴とする。【選択図】  図１３
2017098864.tif 000002
【特許請求の範囲】
【請求項１】
画像形成装置自身の稼働情報を前記画像形成装置自身ではないコンピューターとしての保存用コンピューターに保存する稼働情報保存手段と、
前記稼働情報保存手段によって前記保存用コンピューターに保存された稼働情報を取得する稼働情報取得手段と、
前記稼働情報取得手段によって取得された稼働情報を前記画像形成装置自身および前記保存用コンピューターの何れでもないコンピューターとしての送信先コンピューターに送信する稼働情報送信手段とを備えることを特徴とする画像形成装置。
【請求項２】
前記稼働情報取得手段は、前記送信先コンピューターから稼働情報が要求された場合に、前記保存用コンピューターに保存された稼働情報を取得することを特徴とする請求項１に記載の画像形成装置。
【請求項３】
請求項１または請求項２に記載の画像形成装置と、
前記保存用コンピューターと、
前記送信先コンピューターとを備え、
前記保存用コンピューターは、前記画像形成装置とは別の画像形成装置であることを特徴とする稼働情報収集システム。
【請求項４】
請求項１または請求項２に記載の画像形成装置と、
前記保存用コンピューターと、
前記送信先コンピューターと、
稼働情報を記憶するサーバーとを備え、
前記送信先コンピューターは、前記画像形成装置から受信した稼働情報を前記サーバーに送信し、
前記サーバーは、前記送信先コンピューターから受信した稼働情報を記憶し、
前記送信先コンピューターおよび前記サーバーは、インターネット経由で互いに通信可能であり、
前記画像形成装置は、インターネットに接続されておらず、
前記送信先コンピューターは、前記画像形成装置と通信可能な携帯端末であることを特徴とする稼働情報収集システム。
【請求項５】
前記保存用コンピューターは、前記画像形成装置とは別の画像形成装置であることを特徴とする請求項４に記載の稼働情報収集システム。
【請求項６】
画像形成装置自身の稼働情報を前記画像形成装置自身ではないコンピューターとしての保存用コンピューターに保存する稼働情報保存手段、
前記稼働情報保存手段によって前記保存用コンピューターに保存された稼働情報を取得する稼働情報取得手段、および、
前記稼働情報取得手段によって取得された稼働情報を前記画像形成装置自身および前記保存用コンピューターの何れでもないコンピューターとしての送信先コンピューターに送信する稼働情報送信手段として前記画像形成装置を機能させることを特徴とする稼働情報処理プログラム。
【発明の詳細な説明】
【技術分野】
【０００１】
本発明は、稼働情報を他の電子機器に送信する画像形成装置、稼働情報収集システムおよび稼働情報処理プログラムに関する。
【背景技術】
【０００２】
従来、稼働情報を他の電子機器に送信する画像形成装置が知られている（例えば、特許文献１、２参照。）。
【０００３】
稼働情報を他の電子機器に送信する画像形成装置が使用されることによって、サービスパーソンが画像形成装置の設置場所を訪問することなく、画像形成装置の稼働情報を遠隔地から取得することができる。そのため、画像形成装置の故障を未然に防ぐことによって、画像形成装置の稼働率を向上することができる。
【０００４】
また、サービスパーソンが画像形成装置の設置場所を訪問する前に画像形成装置の稼働情報を遠隔地から取得することは、画像形成装置のメンテナンスのための準備をサービスパーソンに十分に実行させることができる。そのため、サービスパーソンによる画像形成装置のメンテナンスのための所要時間を低減したり、画像形成装置のメンテナンスのための準備不足を原因としたサービスパーソンによる画像形成装置の設置場所への再訪問の発生を抑えたりすることができる。
【０００５】
以上のことから、画像形成装置の稼働情報は、画像形成装置から定期的に収集されることが求められている。
【先行技術文献】
【特許文献】
【０００６】
【特許文献１】特開２０００−２６７２０１号公報
【特許文献２】特開２００９−２３２０２０号公報
【発明の概要】
【発明が解決しようとする課題】
【０００７】
しかしながら、従来の画像形成装置においては、稼働情報が収集されるまで、稼働情報を記憶していなければならず、十分な記憶容量が必要であるという問題がある。
【０００８】
そこで、本発明は、記憶容量が少なくても適切に稼働情報が収集されることができる画像形成装置、稼働情報収集システムおよび稼働情報処理プログラムを提供することを目的とする。
【課題を解決するための手段】
【０００９】
本発明の画像形成装置は、画像形成装置自身の稼働情報を前記画像形成装置自身ではないコンピューターとしての保存用コンピューターに保存する稼働情報保存手段と、前記稼働情報保存手段によって前記保存用コンピューターに保存された稼働情報を取得する稼働情報取得手段と、前記稼働情報取得手段によって取得された稼働情報を前記画像形成装置自身および前記保存用コンピューターの何れでもないコンピューターとしての送信先コンピューターに送信する稼働情報送信手段とを備えることを特徴とする。
【００１０】
この構成により、本発明の画像形成装置は、画像形成装置自身の稼働情報を画像形成装置自身にではなく保存用コンピューターに保存しておき、保存用コンピューターから稼働情報を取得して送信先コンピューターに送信するので、記憶容量が少なくても適切に稼働情報が収集されることができる。
【００１１】
本発明の画像形成装置において、前記稼働情報取得手段は、前記送信先コンピューターから稼働情報が要求された場合に、前記保存用コンピューターに保存された稼働情報を取得しても良い。
【００１２】
この構成により、本発明の画像形成装置は、送信先コンピューターから稼働情報が要求された場合に保存用コンピューターから稼働情報を取得して送信先コンピューターに送信するので、送信先コンピューターへの稼働情報の送信のタイミングを管理しなくても、稼働情報を送信先コンピューターに送信することができる。
【００１３】
本発明の稼働情報収集システムは、上述の画像形成装置と、前記保存用コンピューターと、前記送信先コンピューターとを備え、前記保存用コンピューターは、前記画像形成装置とは別の画像形成装置であることを特徴とする。
【００１４】
この構成により、本発明の稼働情報収集システムは、画像形成装置の少なくとも１つが保存用コンピューターを兼ねるので、構成を簡略化することができる。
【００１５】
本発明の稼働情報収集システムは、上述の画像形成装置と、前記保存用コンピューターと、前記送信先コンピューターと、稼働情報を記憶するサーバーとを備え、前記送信先コンピューターは、前記画像形成装置から受信した稼働情報を前記サーバーに送信し、前記サーバーは、前記送信先コンピューターから受信した稼働情報を記憶し、前記送信先コンピューターおよび前記サーバーは、インターネット経由で互いに通信可能であり、前記画像形成装置は、インターネットに接続されておらず、前記送信先コンピューターは、前記画像形成装置と通信可能な携帯端末であっても良い。
【００１６】
この構成により、本発明の稼働情報収集システムは、画像形成装置の稼働情報がサーバーによってインターネット経由で画像形成装置から直接収集されることができず、画像形成装置の稼働情報が携帯端末によって画像形成装置から収集されるまで、画像形成装置側で稼働情報を保持する必要がある。しかしながら、本発明の稼働情報収集システムは、画像形成装置の稼働情報を画像形成装置自身にではなく保存用コンピューターに保存しておき、画像形成装置が保存用コンピューターから稼働情報を取得して携帯端末に送信するので、画像形成装置の記憶容量が少なくても適切に画像形成装置の稼働情報が収集されることができる。
【００１７】
本発明の稼働情報収集システムにおいて、前記保存用コンピューターは、前記画像形成装置とは別の画像形成装置であっても良い。
【００１８】
この構成により、本発明の稼働情報収集システムは、画像形成装置の少なくとも１つが保存用コンピューターを兼ねるので、構成を簡略化することができる。
【００１９】
本発明の稼働情報処理プログラムは、画像形成装置自身の稼働情報を前記画像形成装置自身ではないコンピューターとしての保存用コンピューターに保存する稼働情報保存手段、前記稼働情報保存手段によって前記保存用コンピューターに保存された稼働情報を取得する稼働情報取得手段、および、前記稼働情報取得手段によって取得された稼働情報を前記画像形成装置自身および前記保存用コンピューターの何れでもないコンピューターとしての送信先コンピューターに送信する稼働情報送信手段として前記画像形成装置を機能させることを特徴とする。
【００２０】
この構成により、本発明の稼働情報処理プログラムを実行する画像形成装置は、画像形成装置自身の稼働情報を画像形成装置自身にではなく保存用コンピューターに保存しておき、保存用コンピューターから稼働情報を取得して送信先コンピューターに送信するので、記憶容量が少なくても適切に稼働情報が収集されることができる。
【発明の効果】
【００２１】
本発明の画像形成装置、稼働情報収集システムおよび稼働情報処理プログラムは、記憶容量が少なくても適切に稼働情報が収集されることができる。
【図面の簡単な説明】
【００２２】
【図１】本発明の一実施の形態に係る稼働情報収集システムの第１のパターンの構成のブロック図である。
【図２】図１に示すサーバーのブロック図である。
【図３】図１に示すＭＦＰのブロック図である。
【図４】本発明の一実施の形態に係る稼働情報収集システムの第２のパターンの構成のブロック図である。
【図５】図４に示すコンピューターのブロック図である。
【図６】本発明の一実施の形態に係る稼働情報収集システムの第３のパターンの構成のブロック図である。
【図７】図６に示すＭＦＰのブロック図である。
【図８】ＭＦＰの稼働情報がコンピューターに保存される場合の図６に示す稼働情報収集システムのシーケンス図である。
【図９】ＭＦＰの稼働情報がＭＦＰからサーバーに送信される場合の図６に示す稼働情報収集システムのシーケンス図である。
【図１０】本発明の一実施の形態に係る稼働情報収集システムの第４のパターンの構成のブロック図である。
【図１１】本発明の一実施の形態に係る稼働情報収集システムの第５のパターンの構成のブロック図である。
【図１２】本発明の一実施の形態に係る稼働情報収集システムの第６のパターンの構成のブロック図である。
【図１３】ＭＦＰの稼働情報がＭＦＰから携帯端末経由でサーバーに送信される場合の図１２に示す稼働情報収集システムのシーケンス図である。
【発明を実施するための形態】
【００２３】
以下、本発明の一実施の形態について、図面を用いて説明する。
【００２４】
本実施の形態に係る稼働情報収集システムは、以下に説明する６つのパターンの構成を備えている。
【００２５】
（第１のパターン）
まず、本実施の形態に係る稼働情報収集システムの第１のパターンの構成について説明する。
【００２６】
図１は、本実施の形態に係る稼働情報収集システム１０の第１のパターンの構成のブロック図である。
【００２７】
図１に示すように、稼働情報収集システム１０は、画像形成装置としてのＭＦＰ（Ｍｕｌｔｉｆｕｎｃｔｉｏｎ  Ｐｅｒｉｐｈｅｒａｌ）の稼働情報を収集するサーバー２０と、ＭＦＰ３０とを備えている。サーバー２０と、ＭＦＰ３０とは、インターネット１１経由で互いに通信可能に接続可能である。
【００２８】
なお、稼働情報収集システム１０は、ＭＦＰ３０と同様の構成であるＭＦＰを、ＭＦＰ３０の他に少なくとも１つ備えることが可能である。
【００２９】
図２は、サーバー２０のブロック図である。
【００３０】
図２に示すように、サーバー２０は、種々の操作が入力されるマウス、キーボードなどの操作デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、外部の装置とネットワーク経由で通信を行う通信デバイスである通信部２３と、各種のデータを記憶している半導体メモリー、ＨＤＤ（Ｈａｒｄ  Ｄｉｓｋ  Ｄｒｉｖｅ）などの不揮発性の記憶デバイスである記憶部２４と、サーバー２０全体を制御する制御部２５とを備えている。すなわち、サーバー２０は、ＰＣ（Ｐｅｒｓｏｎａｌ  Ｃｏｍｐｕｔｅｒ）などのコンピューターによって構成されている。
【００３１】
記憶部２４は、ＭＦＰの稼働情報２４ａをＭＦＰ毎に記憶可能である。
【００３２】
制御部２５は、例えば、ＣＰＵ（Ｃｅｎｔｒａｌ  Ｐｒｏｃｅｓｓｉｎｇ  Ｕｎｉｔ）と、各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行するようになっている。
【００３３】
図３は、ＭＦＰ３０のブロック図である。
【００３４】
図３に示すように、ＭＦＰ３０は、種々の操作が入力されるボタンなどの操作デバイスである操作部３１と、種々の情報を表示するＬＣＤなどの表示デバイスである表示部３２と、用紙などの記録媒体に印刷を実行する印刷デバイスであるプリンター３３と、原稿から画像を読み取る読取デバイスであるスキャナー３４と、図示していない外部のファクシミリ装置と公衆電話回線などの通信回線経由でファックス通信を行うファックスデバイスであるファックス通信部３５と、外部の装置とネットワーク経由で、または、ネットワークを介さず直接に通信を行う通信デバイスである通信部３６と、各種のデータを記憶している半導体メモリー、ＨＤＤなどの不揮発性の記憶デバイスである記憶部３７と、ＭＦＰ３０全体を制御する制御部３８とを備えている。
【００３５】
記憶部３７は、ＭＦＰ３０の稼働情報３７ａを記憶可能である。
【００３６】
制御部３８は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３７に記憶されているプログラムを実行するようになっている。
【００３７】
次に、稼働情報収集システム１０の第１のパターンの動作について説明する。
【００３８】
まず、サーバー２０の制御部２５は、ＭＦＰ３０がサーバー２０に稼働情報を送信するタイミングとしての送信タイミングをＭＦＰ３０に指示する。例えば、送信タイミングは、「１日毎に１回」である。ＭＦＰ３０の制御部３８は、サーバー２０から送信タイミングを受信すると、受信した送信タイミングを記憶部３７に記憶する。
【００３９】
次いで、ＭＦＰ３０の制御部３８は、記憶部３７に記憶されている稼働情報３７ａと同一の稼働情報を、記憶部３７に記憶されている送信タイミングで定期的にサーバー２０に送信する。サーバー２０の制御部２５は、ＭＦＰ３０から稼働情報を受信すると、受信した稼働情報を、記憶部２４に記憶されている稼働情報２４ａのうち、ＭＦＰ３０用の稼働情報に追加する。
【００４０】
なお、ＭＦＰ３０の制御部３８は、例えばセキュリティーなどの理由によって、インターネット１１への常時接続を許可しない設定がなされていても良い。ＭＦＰ３０の制御部３８は、インターネット１１への常時接続を許可しない設定がなされている場合、操作部３１を介した指示に応じて、インターネット１１への接続を一時的に許可することができる。ＭＦＰ３０の制御部３８は、インターネット１１への接続を許可している間に、サーバー２０に稼働情報を送信したり、外部のコンピューターからインターネット１１経由でメンテナンスが実行されたりすることが可能である。
【００４１】
ＭＦＰ３０は、サーバー２０への稼働情報３７ａの送信が完了する度に、記憶部３７に記憶している稼働情報３７ａのうち、サーバー２０に送信した部分を記憶部３７から削除しても良い。この構成によって、ＭＦＰ３０は、記憶部３７の記憶容量を低減することができる。
【００４２】
また、ＭＦＰ３０は、自身の稼働情報を稼働情報３７ａとして記憶部３７に記憶せずに、制御部３８のＲＡＭに記憶しても良い。この構成によって、ＭＦＰ３０は、記憶部３７の記憶容量を更に低減することができる。
【００４３】
また、ＭＦＰ３０は、送信タイミングを記憶部３７に記憶せずに、制御部３８のＲＡＭに記憶しても良い。ＭＦＰ３０は、自身の稼働情報と、送信タイミングとの何れも記憶部３７に記憶しないことによって、記憶部３７を備えないことができる。
【００４４】
（第２のパターン）
まず、稼働情報収集システム１０の第２のパターンの構成について説明する。
【００４５】
図４は、稼働情報収集システム１０の第２のパターンの構成のブロック図である。
【００４６】
図４に示すように、稼働情報収集システム１０は、サーバー２０と、ＭＦＰの稼働情報を収集するコンピューター４０と、ＭＦＰ５０とを備えている。サーバー２０と、コンピューター４０とは、インターネット１１経由で互いに通信可能に接続可能である。コンピューター４０と、ＭＦＰ５０とは、ＬＡＮ（Ｌｏｃａｌ  Ａｒｅａ  Ｎｅｔｗｏｒｋ）１２経由で互いに通信可能に接続可能である。
【００４７】
なお、稼働情報収集システム１０は、ＬＡＮ１２経由でコンピューター４０と通信可能に接続可能であるＭＦＰとして、ＭＦＰ５０と同様の構成であるＭＦＰを、ＭＦＰ５０の他に少なくとも１つ備えることが可能である。
【００４８】
また、稼働情報収集システム１０は、コンピューター４０が接続されているＬＡＮ１２、または、ＬＡＮ１２と異なるＬＡＮに接続されていてコンピューター４０と同様の構成であるコンピューターを、コンピューター４０の他に少なくとも１つ備えることが可能である。そして、稼働情報収集システム１０は、コンピューター４０以外のこれらのコンピューターのそれぞれに対して、ＬＡＮ経由で通信可能に接続可能であるＭＦＰとして、ＭＦＰ５０と同様の構成であるＭＦＰを少なくとも１つずつ備えることが可能である。
【００４９】
サーバー２０は、第１のパターン（図１参照。）のサーバー２０と同一のものである。
【００５０】
ＭＦＰ５０の構成は、ＭＦＰ３０（図３参照。）の構成と同様である。
【００５１】
図５は、コンピューター４０のブロック図である。
【００５２】
図５に示すように、コンピューター４０は、種々の操作が入力されるマウス、キーボードなどの操作デバイスである操作部４１と、種々の情報を表示するＬＣＤなどの表示デバイスである表示部４２と、外部の装置とネットワーク経由で通信を行う通信デバイスである通信部４３と、各種のデータを記憶している半導体メモリー、ＨＤＤなどの不揮発性の記憶デバイスである記憶部４４と、コンピューター４０全体を制御する制御部４５とを備えている。例えば、コンピューター４０は、ＰＣなどによって構成されている。
【００５３】
記憶部４４は、ＭＦＰの稼働情報４４ａをＭＦＰ毎に記憶可能である。
【００５４】
制御部４５は、例えば、ＣＰＵと、各種のデータを記憶しているＲＯＭと、ＣＰＵの作業領域として用いられるＲＡＭとを備えている。ＣＰＵは、ＲＯＭまたは記憶部４４に記憶されているプログラムを実行するようになっている。
【００５５】
次に、稼働情報収集システム１０の第２のパターンの動作について説明する。
【００５６】
まず、サーバー２０の制御部２５は、コンピューター４０がサーバー２０に稼働情報を送信するタイミングとしての送信タイミングをコンピューター４０に指示する。例えば、送信タイミングは、「１日毎に１回」である。コンピューター４０の制御部４５は、サーバー２０から送信タイミングを受信すると、受信した送信タイミングを記憶部４４に記憶する。
【００５７】
次いで、コンピューター４０の制御部４５は、記憶部４４に記憶されている送信タイミング、または、送信タイミングより短いタイミングで定期的に、ＭＦＰ５０から稼働情報を収集する。すなわち、コンピューター４０の制御部４５は、ＭＦＰ５０に稼働情報を定期的に要求する。ＭＦＰ５０の制御部は、コンピューター４０からの稼働情報の要求を受信すると、記憶部に記憶されている自身の稼働情報と同一の稼働情報をコンピューター４０に送信する。コンピューター４０の制御部４５は、ＭＦＰ５０から稼働情報を受信すると、受信した稼働情報を、記憶部４４に記憶されている稼働情報４４ａのうち、ＭＦＰ５０用の稼働情報に追加する。
【００５８】
そして、コンピューター４０の制御部４５は、記憶部４４に記憶されている稼働情報４４ａと同一の稼働情報を、記憶部４４に記憶されている送信タイミングで定期的に、サーバー２０に送信する。サーバー２０の制御部２５は、コンピューター４０から稼働情報を受信すると、受信した稼働情報を、記憶部２４に記憶されている稼働情報２４ａのうち、該当するＭＦＰ用の稼働情報に追加する。
【００５９】
ＭＦＰ５０は、コンピューター４０への稼働情報の送信が完了する度に、記憶部に記憶している稼働情報のうち、コンピューター４０に送信した部分を記憶部から削除しても良い。この構成によって、ＭＦＰ５０は、記憶部の記憶容量を低減することができる。
【００６０】
また、ＭＦＰ５０は、自身の稼働情報を記憶部に記憶せずに、制御部のＲＡＭに記憶しても良い。この構成によって、ＭＦＰ５０は、記憶部の記憶容量を更に低減することができる。例えば、ＭＦＰ５０は、自身の稼働情報を記憶部に記憶しないことによって、記憶部を備えないことができる。
【００６１】
なお、コンピューター４０は、ＭＦＰによって構成されていても良い。コンピューター４０がＭＦＰによって構成されている場合、コンピューター４０を構成するＭＦＰ自身の稼働情報は、例えば、第１のパターンによって収集されても良い。
【００６２】
（第３のパターン）
まず、稼働情報収集システム１０の第３のパターンの構成について説明する。
【００６３】
図６は、稼働情報収集システム１０の第３のパターンの構成のブロック図である。
【００６４】
図６に示すように、稼働情報収集システム１０は、サーバー２０と、ＭＦＰの稼働情報を収集するコンピューター６０と、ＭＦＰ７０とを備えている。サーバー２０と、ＭＦＰ７０とは、インターネット１１経由で互いに通信可能に接続可能である。コンピューター６０と、ＭＦＰ７０とは、ＬＡＮ１３経由で互いに通信可能に接続可能である。
【００６５】
なお、稼働情報収集システム１０は、ＬＡＮ１３経由でコンピューター６０と通信可能に接続可能であるＭＦＰとして、ＭＦＰ７０と同様の構成であるＭＦＰを、ＭＦＰ７０の他に少なくとも１つ備えることが可能である。
【００６６】
また、稼働情報収集システム１０は、コンピューター６０が接続されているＬＡＮ１３、または、ＬＡＮ１３と異なるＬＡＮに接続されていてコンピューター６０と同様の構成であるコンピューターを、コンピューター６０の他に少なくとも１つ備えることが可能である。そして、稼働情報収集システム１０は、コンピューター６０以外のこれらのコンピューターのそれぞれに対して、ＬＡＮ経由で通信可能に接続可能であるＭＦＰとして、ＭＦＰ７０と同様の構成であるＭＦＰを少なくとも１つずつ備えることが可能である。
【００６７】
サーバー２０は、第１のパターン（図１参照。）のサーバー２０と同一のものである。
【００６８】
コンピューター６０の構成は、コンピューター４０（図５参照。）の構成と同様である。
【００６９】
図７は、ＭＦＰ７０のブロック図である。
【００７０】
図７に示すように、ＭＦＰ７０は、種々の操作が入力されるボタンなどの操作デバイスである操作部７１と、種々の情報を表示するＬＣＤなどの表示デバイスである表示部７２と、用紙などの記録媒体に印刷を実行する印刷デバイスであるプリンター７３と、原稿から画像を読み取る読取デバイスであるスキャナー７４と、図示していない外部のファクシミリ装置と公衆電話回線などの通信回線経由でファックス通信を行うファックスデバイスであるファックス通信部７５と、外部の装置とネットワーク経由で、または、ネットワークを介さず直接に通信を行う通信デバイスである通信部７６と、各種のデータを記憶している半導体メモリー、ＨＤＤなどの不揮発性の記憶デバイスである記憶部７７と、ＭＦＰ７０全体を制御する制御部７８とを備えている。
【００７１】
記憶部７７は、ＭＦＰ７０の稼働情報７７ａを記憶可能である。
【００７２】
記憶部７７は、ＭＦＰ７０の稼働情報７７ａを処理するための稼働情報処理プログラム７７ｂを記憶可能である。
【００７３】
制御部７８は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部７７に記憶されているプログラムを実行するようになっている。
【００７４】
制御部７８は、記憶部７７に記憶されている稼働情報処理プログラム７７ｂを実行することによって、ＭＦＰ７０自身の稼働情報７７ａを保存用コンピューターとしてのコンピューター６０に保存する稼働情報保存手段７８ａ、稼働情報保存手段７８ａによってコンピューター６０に保存されたＭＦＰ７０自身の稼働情報を取得する稼働情報取得手段７８ｂ、および、稼働情報取得手段７８ｂによって取得された稼働情報を送信先コンピューターとしてのサーバー２０に送信する稼働情報送信手段７８ｃとして機能する。
【００７５】
次に、稼働情報収集システム１０の第３のパターンの動作について説明する。
【００７６】
まず、サーバー２０の制御部２５は、ＭＦＰ７０がサーバー２０に稼働情報を送信するタイミングとしての送信タイミングを、ＭＦＰ７０に指示する。例えば、送信タイミングは、「１日毎に１回」である。ＭＦＰ７０の稼働情報送信手段７８ｃは、サーバー２０から送信タイミングを受信すると、受信した送信タイミングを記憶部７７に記憶する。
【００７７】
次いで、図８に示すように、ＭＦＰ７０の稼働情報保存手段７８ａは、記憶部７７に記憶されている稼働情報７７ａと同一の稼働情報を、記憶部７７に記憶されている送信タイミング、または、送信タイミングより短いタイミングで定期的に、コンピューター６０に保存する（Ｓ２０１）。したがって、コンピューター６０の制御部は、ＭＦＰ７０から稼働情報を受信すると、受信した稼働情報を、記憶部に記憶されている稼働情報のうち、ＭＦＰ７０用の稼働情報に追加する。
【００７８】
そして、図９に示すように、ＭＦＰ７０の稼働情報取得手段７８ｂは、コンピューター６０の記憶部に記憶されているＭＦＰ７０用の稼働情報を、記憶部７７に記憶されている送信タイミングで定期的に要求する（Ｓ２１１）。コンピューター６０の制御部は、ＭＦＰ７０からの稼働情報の要求を受信すると、記憶部に記憶されているＭＦＰ７０用の稼働情報と同一の稼働情報をＭＦＰ７０に送信する。したがって、ＭＦＰ７０の稼働情報取得手段７８ｂは、コンピューター６０から受信した稼働情報を取得する（Ｓ２１２）ことができる。
【００７９】
そして、ＭＦＰ７０の稼働情報送信手段７８ｃは、Ｓ２１２において取得された稼働情報をサーバー２０に送信する（Ｓ２１３）。すなわち、稼働情報送信手段７８ｃは、記憶部７７に記憶されている送信タイミングで定期的に稼働情報をサーバー２０に送信する。サーバー２０の制御部２５は、ＭＦＰ７０から稼働情報を受信すると、受信した稼働情報を、記憶部２４に記憶されている稼働情報２４ａのうち、ＭＦＰ７０用の稼働情報に追加する。
【００８０】
なお、ＭＦＰ７０の制御部７８は、例えばセキュリティーなどの理由によって、インターネット１１への常時接続を許可しない設定がなされていても良い。ＭＦＰ７０の制御部７８は、インターネット１１への常時接続を許可しない設定がなされている場合、操作部７１を介した指示に応じて、インターネット１１への接続を一時的に許可することができる。ＭＦＰ７０の制御部７８は、インターネット１１への接続を許可している間に、コンピューター６０から稼働情報を取得してサーバー２０に送信したり、外部のコンピューターからインターネット１１経由でメンテナンスが実行されたりすることが可能である。
【００８１】
ＭＦＰ７０は、コンピューター６０への稼働情報の送信（Ｓ２０１）が完了する度に、記憶部７７に記憶している稼働情報７７ａのうち、コンピューター６０に送信した部分を記憶部７７から削除しても良い。この構成によって、ＭＦＰ７０は、記憶部７７の記憶容量を低減することができる。
【００８２】
また、ＭＦＰ７０は、自身の稼働情報を記憶部７７に記憶せずに、制御部７８のＲＡＭに記憶しても良い。この構成によって、ＭＦＰ７０は、記憶部７７の記憶容量を更に低減することができる。例えば、ＭＦＰ７０は、自身の稼働情報を記憶部７７に記憶せず、稼働情報処理プログラム７７ｂも制御部７８のＲＯＭに記憶することによって、記憶部７７を備えないことができる。
【００８３】
なお、コンピューター６０は、ＭＦＰによって構成されていても良い。コンピューター６０がＭＦＰによって構成されている場合、コンピューター６０を構成するＭＦＰ自身の稼働情報は、例えば、第１のパターンや、後述の第４のパターンによって収集されても良い。
【００８４】
（第４のパターン）
まず、稼働情報収集システム１０の第４のパターンの構成について説明する。
【００８５】
図１０は、稼働情報収集システム１０の第４のパターンの構成のブロック図である。
【００８６】
図１０に示すように、稼働情報収集システム１０は、サーバー２０と、サービスパーソンによって携帯されるコンピューターとしてのスマートフォン、タブレットなどの携帯端末８０と、ＭＦＰ９０とを備えている。サーバー２０と、携帯端末８０とは、インターネット１１経由で互いに通信可能に接続可能である。携帯端末８０と、ＭＦＰ９０とは、Ｂｌｕｅｔｏｏｔｈ（登録商標）、Ｗｉ−Ｆｉ  Ｄｉｒｅｃｔなどの無線による直接接続と、ＵＳＢ（Ｕｎｉｖｅｒｓａｌ  Ｓｅｒｉａｌ  Ｂｕｓ）ケーブルなどの有線による直接接続と、無線または有線によるＬＡＮなどのネットワーク経由の接続との何れかによって、互いに通信可能に接続可能である。なお、ＭＦＰ９０は、インターネット１１に接続されていない。
【００８７】
なお、稼働情報収集システム１０は、ＭＦＰ９０と同様の構成であるＭＦＰを、ＭＦＰ９０の他に少なくとも１つ備えることが可能である。
【００８８】
また、稼働情報収集システム１０は、携帯端末８０と同様の構成である携帯端末を、携帯端末８０の他に少なくとも１つ備えることが可能である。
【００８９】
サーバー２０は、第１のパターン（図１参照。）のサーバー２０と同一のものである。
【００９０】
次に、稼働情報収集システム１０の第４のパターンの動作について説明する。
【００９１】
サービスパーソンは、携帯端末８０を携帯してＭＦＰ９０の設置場所に訪問し、ＭＦＰ９０からの稼働情報の取得を携帯端末８０の操作部を介して携帯端末８０に指示することができる。携帯端末８０の制御部は、ＭＦＰ９０からの稼働情報の取得が指示されると、ＭＦＰ９０に稼働情報を要求する。ＭＦＰ９０の制御部は、携帯端末８０からの稼働情報の要求を受信すると、ＭＦＰ９０の記憶部に記憶されているＭＦＰ９０自身の稼働情報と同一の稼働情報を携帯端末８０に送信する。
【００９２】
携帯端末８０の制御部は、ＭＦＰ９０の稼働情報を受信すると、受信した稼働情報を、サーバー２０に送信する。サーバー２０の制御部２５は、携帯端末８０から稼働情報を受信すると、受信した稼働情報を、記憶部２４に記憶されている稼働情報２４ａのうち、該当するＭＦＰ用の稼働情報に追加する。
【００９３】
ＭＦＰ９０は、携帯端末８０への稼働情報の送信が完了する度に、ＭＦＰ９０の記憶部に記憶している稼働情報のうち、携帯端末８０に送信した部分をＭＦＰ９０の記憶部から削除しても良い。この構成によって、ＭＦＰ９０は、ＭＦＰ９０の記憶部の記憶容量を低減することができる。
【００９４】
また、ＭＦＰ９０は、自身の稼働情報をＭＦＰ９０の記憶部に記憶せずに、ＭＦＰ９０の制御部のＲＡＭに記憶しても良い。この構成によって、ＭＦＰ９０は、ＭＦＰ９０の記憶部の記憶容量を更に低減することができる。例えば、ＭＦＰ９０は、記憶部を備えないことができる。
【００９５】
（第５のパターン）
まず、稼働情報収集システム１０の第５のパターンの構成について説明する。
【００９６】
図１１は、稼働情報収集システム１０の第５のパターンの構成のブロック図である。
【００９７】
図１１に示すように、稼働情報収集システム１０は、サーバー２０と、携帯端末８０と、ＭＦＰの稼働情報を収集するコンピューター１００と、ＭＦＰ１１０とを備えている。サーバー２０と、携帯端末８０とは、インターネット１１経由で互いに通信可能に接続可能である。携帯端末８０と、コンピューター１００とは、Ｂｌｕｅｔｏｏｔｈ、Ｗｉ−Ｆｉ  Ｄｉｒｅｃｔなどの無線による直接接続と、ＵＳＢケーブルなどの有線による直接接続と、無線または有線によるＬＡＮなどのネットワーク経由の接続との何れかによって、互いに通信可能に接続可能である。コンピューター１００と、ＭＦＰ１１０とは、ＬＡＮ１４経由で互いに通信可能に接続可能である。なお、ＭＦＰ１１０は、インターネット１１に接続されていない。
【００９８】
なお、稼働情報収集システム１０は、ＬＡＮ１４経由でコンピューター１００と通信可能に接続可能であるＭＦＰとして、ＭＦＰ１１０と同様の構成であるＭＦＰを、ＭＦＰ１１０の他に少なくとも１つ備えることが可能である。
【００９９】
また、稼働情報収集システム１０は、コンピューター１００が接続されているＬＡＮ１４、または、ＬＡＮ１４と異なるＬＡＮに接続されていてコンピューター１００と同様の構成であるコンピューターを、コンピューター１００の他に少なくとも１つ備えることが可能である。そして、稼働情報収集システム１０は、コンピューター１００以外のこれらのコンピューターのそれぞれに対して、ＬＡＮ経由で通信可能に接続可能であるＭＦＰとして、ＭＦＰ１１０と同様の構成であるＭＦＰを少なくとも１つずつ備えることが可能である。
【０１００】
サーバー２０は、第１のパターン（図１参照。）のサーバー２０と同一のものである。
【０１０１】
携帯端末８０は、第４のパターン（図１０参照。）の携帯端末８０と同一のものである。
【０１０２】
コンピューター１００の構成は、コンピューター４０（図５参照。）の構成と同様である。
【０１０３】
ＭＦＰ１１０の構成は、ＭＦＰ３０（図３参照。）の構成と同様である。
【０１０４】
次に、稼働情報収集システム１０の第５のパターンの動作について説明する。
【０１０５】
コンピューター１００の制御部は、特定のタイミングで定期的に、ＭＦＰ１１０から稼働情報を収集する。すなわち、コンピューター１００の制御部は、ＭＦＰ１１０に稼働情報を定期的に要求する。ＭＦＰ１１０の制御部は、コンピューター１００からの稼働情報の要求を受信すると、ＭＦＰ１１０の記憶部に記憶されている自身の稼働情報と同一の稼働情報をコンピューター１００に送信する。コンピューター１００の制御部は、ＭＦＰ１１０から稼働情報を受信すると、受信した稼働情報を、コンピューター１００の記憶部に記憶されている稼働情報のうち、ＭＦＰ１１０用の稼働情報に追加する。
【０１０６】
サービスパーソンは、携帯端末８０を携帯してコンピューター１００の設置場所に訪問し、コンピューター１００からの稼働情報の取得を携帯端末８０の操作部を介して携帯端末８０に指示することができる。携帯端末８０の制御部は、コンピューター１００からの稼働情報の取得が指示されると、コンピューター１００に稼働情報を要求する。コンピューター１００の制御部は、携帯端末８０からの稼働情報の要求を受信すると、コンピューター１００の記憶部に記憶されているＭＦＰ１１０などのＭＦＰの稼働情報と同一の稼働情報を携帯端末８０に送信する。
【０１０７】
携帯端末８０の制御部は、ＭＦＰの稼働情報を受信すると、受信した稼働情報を、サーバー２０に送信する。サーバー２０の制御部２５は、携帯端末８０から稼働情報を受信すると、受信した稼働情報を、記憶部２４に記憶されている稼働情報２４ａのうち、該当するＭＦＰ用の稼働情報に追加する。
【０１０８】
ＭＦＰ１１０は、コンピューター１００への稼働情報の送信が完了する度に、記憶部に記憶している稼働情報のうち、コンピューター１００に送信した部分を記憶部から削除しても良い。この構成によって、ＭＦＰ１１０は、記憶部の記憶容量を低減することができる。
【０１０９】
また、ＭＦＰ１１０は、自身の稼働情報を記憶部に記憶せずに、制御部のＲＡＭに記憶しても良い。この構成によって、ＭＦＰ１１０は、記憶部の記憶容量を更に低減することができる。例えば、ＭＦＰ１１０は、自身の稼働情報を記憶部に記憶しないことによって、記憶部を備えないことができる。
【０１１０】
なお、コンピューター１００は、ＭＦＰによって構成されていても良い。コンピューター１００がＭＦＰによって構成されている場合、コンピューター１００を構成するＭＦＰ自身の稼働情報は、例えば、第１のパターンや第４のパターンによって収集されても良い。
【０１１１】
（第６のパターン）
まず、稼働情報収集システム１０の第６のパターンの構成について説明する。
【０１１２】
図１２は、稼働情報収集システム１０の第６のパターンの構成のブロック図である。
【０１１３】
図１２に示すように、稼働情報収集システム１０は、サーバー２０と、携帯端末８０と、ＭＦＰの稼働情報を収集するコンピューター１２０と、ＭＦＰ１３０とを備えている。サーバー２０と、携帯端末８０とは、インターネット１１経由で互いに通信可能に接続可能である。携帯端末８０と、ＭＦＰ１３０とは、Ｂｌｕｅｔｏｏｔｈ、Ｗｉ−Ｆｉ  Ｄｉｒｅｃｔなどの無線による直接接続と、ＵＳＢケーブルなどの有線による直接接続と、無線または有線によるＬＡＮなどのネットワーク経由の接続との何れかによって、互いに通信可能に接続可能である。コンピューター１２０と、ＭＦＰ１３０とは、ＬＡＮ１５経由で互いに通信可能に接続可能である。なお、ＭＦＰ１３０は、インターネット１１に接続されていない。
【０１１４】
なお、稼働情報収集システム１０は、ＬＡＮ１５経由でコンピューター１２０と通信可能に接続可能であるＭＦＰとして、ＭＦＰ１３０と同様の構成であるＭＦＰを、ＭＦＰ１３０の他に少なくとも１つ備えることが可能である。
【０１１５】
また、稼働情報収集システム１０は、コンピューター１２０が接続されているＬＡＮ１５、または、ＬＡＮ１５と異なるＬＡＮに接続されていてコンピューター１２０と同様の構成であるコンピューターを、コンピューター１２０の他に少なくとも１つ備えることが可能である。そして、稼働情報収集システム１０は、コンピューター１２０以外のこれらのコンピューターのそれぞれに対して、ＬＡＮ経由で通信可能に接続可能であるＭＦＰとして、ＭＦＰ１３０と同様の構成であるＭＦＰを少なくとも１つずつ備えることが可能である。
【０１１６】
サーバー２０は、第１のパターン（図１参照。）のサーバー２０と同一のものである。
【０１１７】
携帯端末８０は、第４のパターン（図１０参照。）の携帯端末８０と同一のものである。
【０１１８】
コンピューター１２０の構成は、コンピューター４０（図５参照。）の構成と同様である。
【０１１９】
ＭＦＰ１３０の構成は、ＭＦＰ７０（図７参照。）の構成と同様である。ここで、ＭＦＰ１３０の稼働情報保存手段は、ＭＦＰ１３０自身の稼働情報を保存用コンピューターとしてのコンピューター１２０に保存する。また、ＭＦＰ１３０の稼働情報取得手段は、稼働情報保存手段によってコンピューター１２０に保存されたＭＦＰ１３０自身の稼働情報を取得する。また、ＭＦＰ１３０の稼働情報送信手段は、稼働情報取得手段によって取得された稼働情報を送信先コンピューターとしての携帯端末８０に送信する。
【０１２０】
次に、稼働情報収集システム１０の第６のパターンの動作について説明する。
【０１２１】
ＭＦＰ１３０の稼働情報保存手段は、ＭＦＰ１３０の記憶部に記憶されている稼働情報と同一の稼働情報を、特定のタイミングで定期的に、コンピューター１２０に保存する。コンピューター１２０の制御部は、ＭＦＰ１３０から稼働情報を受信すると、受信した稼働情報を、記憶部に記憶されている稼働情報のうち、ＭＦＰ１３０用の稼働情報に追加する。
【０１２２】
サービスパーソンは、携帯端末８０を携帯してＭＦＰ１３０の設置場所に訪問し、ＭＦＰ１３０からの稼働情報の取得を携帯端末８０の操作部を介して携帯端末８０に指示することができる。携帯端末８０の制御部は、ＭＦＰ１３０からの稼働情報の取得が指示されると、図１３に示すように、ＭＦＰ１３０に稼働情報を要求する（Ｓ２３１）。ＭＦＰ１３０の稼働情報取得手段は、携帯端末８０からの稼働情報の要求を受信すると、コンピューター１２０の記憶部に記憶されているＭＦＰ１３０用の稼働情報をコンピューター１２０に要求する（Ｓ２３２）。コンピューター１２０の制御部は、ＭＦＰ１３０からの稼働情報の要求を受信すると、記憶部に記憶されているＭＦＰ１３０用の稼働情報と同一の稼働情報をＭＦＰ１３０に送信する。したがって、ＭＦＰ１３０の稼働情報取得手段は、コンピューター１２０から受信した稼働情報を取得する（Ｓ２３３）ことができる。
【０１２３】
そして、ＭＦＰ１３０の稼働情報送信手段は、Ｓ２３３において取得された稼働情報を携帯端末８０に送信する（Ｓ２３４）。すなわち、ＭＦＰ１３０の稼働情報送信手段は、携帯端末８０から稼働情報の要求を受けたタイミングで稼働情報を携帯端末８０に送信する。携帯端末８０の制御部は、ＭＦＰ１３０から稼働情報を受信すると、受信した稼働情報をサーバー２０に送信する（Ｓ２３５）。サーバー２０の制御部２５は、携帯端末８０から稼働情報を受信すると、受信した稼働情報を、記憶部２４に記憶されている稼働情報２４ａのうち、ＭＦＰ１３０用の稼働情報に追加する。
【０１２４】
ＭＦＰ１３０は、コンピューター１２０への稼働情報の送信が完了する度に、ＭＦＰ１３０の記憶部に記憶している稼働情報のうち、コンピューター１２０に送信した部分をＭＦＰ１３０の記憶部から削除しても良い。この構成によって、ＭＦＰ１３０は、ＭＦＰ１３０の記憶部の記憶容量を低減することができる。
【０１２５】
また、ＭＦＰ１３０は、自身の稼働情報をＭＦＰ１３０の記憶部に記憶せずに、ＭＦＰ１３０の制御部のＲＡＭに記憶しても良い。この構成によって、ＭＦＰ１３０は、ＭＦＰ１３０の記憶部の記憶容量を更に低減することができる。例えば、ＭＦＰ１３０は、自身の稼働情報をＭＦＰ１３０の記憶部に記憶せず、ＭＦＰ１３０の稼働情報処理プログラムもＭＦＰ１３０の制御部のＲＯＭに記憶することによって、ＭＦＰ１３０の記憶部を備えないことができる。
【０１２６】
なお、コンピューター１２０は、ＭＦＰによって構成されていても良い。コンピューター１２０がＭＦＰによって構成されている場合、コンピューター１２０を構成するＭＦＰ自身の稼働情報は、例えば、第１のパターンや、第４のパターンによって収集されても良い。
【０１２７】
以上に説明したように、第３のパターンのＭＦＰ７０は、ＭＦＰ７０自身の稼働情報をＭＦＰ７０自身にではなく保存用コンピューターとしてのコンピューター６０に保存しておき（Ｓ２０１）、コンピューター６０から稼働情報を取得して（Ｓ２１２）送信先コンピューターとしてのサーバー２０に送信する（Ｓ２１３）ので、記憶容量が少なくても適切に稼働情報が収集されることができる。したがって、第３のパターンのＭＦＰ７０としては、例えば、ＨＤＤやＳＳＤ（Ｓｏｌｉｄ  Ｓｔａｔｅ  Ｄｒｉｖｅ）などのストレージを備えていないローエンドのＭＦＰが採用されることができる。
【０１２８】
稼働情報収集システム１０は、第３のパターンにおいて、保存用コンピューターとしてのコンピューター６０がＭＦＰ７０とは別のＭＦＰである場合、ＭＦＰの少なくとも１つが保存用コンピューターを兼ねるので、ＭＦＰとは異なる専用のコンピューターを保存用コンピューターとして備える場合と比較して、構成を簡略化することができる。なお、コンピューター６０としては、例えば、ハイエンドのＭＦＰが採用されることができる。
【０１２９】
稼働情報収集システム１０は、第３のパターンにおいて、インターネット１１への常時接続を許可しない設定がＭＦＰ７０になされている場合、ＭＦＰ７０の稼働情報がサーバー２０によってインターネット１１経由でＭＦＰ７０から直接収集されることができず、ＭＦＰ７０のインターネット１１への接続が一時的に許可されるまで、ＭＦＰ７０側で稼働情報を保持する必要がある。しかしながら、稼働情報収集システム１０は、ＭＦＰ７０の稼働情報をＭＦＰ７０自身にではなく保存用コンピューターとしてのコンピューター６０に保存しておき、ＭＦＰ７０がコンピューター６０から稼働情報を取得してサーバー２０に送信するので、ＭＦＰ７０の記憶容量が少なくても適切にＭＦＰ７０の稼働情報が収集されることができる。
【０１３０】
第６のパターンのＭＦＰ１３０は、ＭＦＰ１３０自身の稼働情報をＭＦＰ１３０自身にではなく保存用コンピューターとしてのコンピューター１２０に保存しておき、コンピューター１２０から稼働情報を取得して（Ｓ２３３）送信先コンピューターとしての携帯端末８０に送信する（Ｓ２３４）ので、記憶容量が少なくても適切に稼働情報が収集されることができる。したがって、第６のパターンのＭＦＰ１３０としては、例えば、ＨＤＤやＳＳＤなどのストレージを備えていないローエンドのＭＦＰが採用されることができる。
【０１３１】
稼働情報収集システム１０は、第６のパターンにおいて、保存用コンピューターとしてのコンピューター１２０がＭＦＰ１３０とは別のＭＦＰである場合、ＭＦＰの少なくとも１つが保存用コンピューターを兼ねるので、ＭＦＰとは異なる専用のコンピューターを保存用コンピューターとして備える場合と比較して、構成を簡略化することができる。なお、コンピューター１２０としては、例えば、ハイエンドのＭＦＰが採用されることができる。
【０１３２】
第６のパターンのＭＦＰ１３０は、送信先コンピューターとしての携帯端末８０から稼働情報が要求された場合に（Ｓ２３１）保存用コンピューターとしてのコンピューター１２０から稼働情報を取得して（Ｓ２３３）携帯端末８０に送信する（Ｓ２３４）ので、携帯端末８０への稼働情報の送信のタイミングを管理しなくても、稼働情報を携帯端末８０に送信することができる。
【０１３３】
稼働情報収集システム１０は、第６のパターンにおいて、ＭＦＰ１３０の稼働情報がサーバー２０によってインターネット１１経由でＭＦＰ１３０から直接収集されることができず、ＭＦＰ１３０の稼働情報が携帯端末８０によってＭＦＰ１３０から収集されるまで、ＭＦＰ１３０側で稼働情報を保持する必要がある。したがって、サービスパーソンが携帯端末８０を携帯してＭＦＰ１３０の設置場所に訪問するまで、例えば数日間分の稼働情報をＭＦＰ１３０側で保持する必要がある。しかしながら、稼働情報収集システム１０は、ＭＦＰ１３０の稼働情報をＭＦＰ１３０自身にではなく保存用コンピューターとしてのコンピューター１２０に保存しておき、ＭＦＰ１３０がコンピューター１２０から稼働情報を取得して携帯端末８０に送信するので、ＭＦＰ１３０の記憶容量が少なくても適切にＭＦＰ１３０の稼働情報が収集されることができる。
【０１３４】
本発明の画像形成装置は、本実施の形態においてＭＦＰであるが、プリンター専用機など、ＭＦＰ以外の画像形成装置であっても良い。
【符号の説明】
【０１３５】
１０  稼働情報収集システム
１１  インターネット
２０  サーバー（送信先コンピューター）
２４ａ  稼働情報
６０  コンピューター（保存用コンピューター）
７０  ＭＦＰ（画像形成装置）
７７ａ  稼働情報
７７ｂ  稼働情報処理プログラム
７８ａ  稼働情報保存手段
７８ｂ  稼働情報取得手段
７８ｃ  稼働情報送信手段
８０  携帯端末（送信先コンピューター）
１２０  コンピューター（保存用コンピューター）
１３０  ＭＦＰ（画像形成装置）
【図１】
2017098864.tif 000003
【図２】
2017098864.tif 000004
【図３】
2017098864.tif 000005
【図４】
2017098864.tif 000006
【図５】
2017098864.tif 000007
【図６】
2017098864.tif 000008
【図７】
2017098864.tif 000009
【図８】
2017098864.tif 000010
【図９】
2017098864.tif 000011
【図１０】
2017098864.tif 000012
【図１１】
2017098864.tif 000013
【図１２】
2017098864.tif 000014
【図１３】
2017098864.tif 000015